【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
撮像レンズと撮像素子とを有するカメラユニットと、
前記カメラユニットの駆動制御を行うカメラ制御回路および電源回路が実装される回路基板と、
前記電源回路に対して電力を供給する電池を収納する電池収納部と、を有する撮像装置であって、
前記電池収納部を前記撮像装置の底面側に配置し、
第１面が前記カメラユニットと向かい合い、第２面が前記電池収納部と向かい合うように前記回路基板を配置し、
前記回路基板の前記第１面と前記第２面は、互いに反対の面であり、
前記回路基板の前記第１面に前記カメラ制御回路を実装し、
前記回路基板の前記第２面に前記電源回路を実装することを特徴とする撮像装置。
【請求項２】
前記電池収納部を前記カメラユニットよりも前記撮像装置の光軸方向後方に配置することを特徴とする請求項１に記載の撮像装置。
【請求項３】
前記撮像装置の底面側に配置された三脚座を更に有し、
前記三脚座は、前記電池収納部よりも前記撮像装置の光軸方向前方に配置され、
前記三脚座は、前記撮像装置の高さ方向で前記電池収納部とほぼ同じ高さであることを特徴とする請求項１または２に記載の撮像装置。
【請求項４】
前記電池収納部よりも前記撮像装置の光軸方向前方に配置されたバリア駆動手段を更に有し、
前記バリア駆動手段は、前記撮像装置の高さ方向で前記電池収納部とほぼ同じ高さであることを特徴とする請求項１乃至３のいずれか１項に記載の撮像装置。
【請求項５】
前記電池収納部よりも前記撮像装置の光軸方向前方に配置されたマイクを更に有し、
前記マイクは、前記撮像装置の高さ方向で前記電池収納部とほぼ同じ高さであることを特徴とする請求項１乃至４のいずれか１項に記載の撮像装置。
【請求項６】
メモリカードスロットが実装されるメモリカードスロット基板を更に有し、
前記メモリカードスロットは、前記カメラユニットよりも前記撮像装置の光軸方向後方に配置され、
前記メモリカードスロットは、前記撮像装置の高さ方向で前記カメラユニットとほぼ同じ高さであることを特徴とする請求項１乃至５のいずれか１項に記載の撮像装置。
【請求項７】
外部接続端子が実装される端子基板を更に有し、
前記外部接続端子は、前記カメラユニットよりも前記撮像装置の光軸方向後方に配置され、
前記外部接続端子は、前記撮像装置の高さ方向で前記カメラユニットとほぼ同じ高さであることを特徴とする請求項１乃至６のいずれか１項に記載の撮像装置。
【請求項８】
メモリが実装されるメモリ基板を更に有し、
前記三脚座、前記メモリ基板および前記回路基板は、前記撮像装置の高さ方向に重ねて配置されていることを特徴とする請求項３乃至７のいずれか１項に記載の撮像装置。
【請求項９】
前記三脚座と前記メモリ基板は、前記撮像装置の高さ方向で前記電池収納部とほぼ同じ高さであることを特徴とする請求項３乃至８のいずれか１項に記載の撮像装置。
【手続補正２】
【補正対象書類名】明細書
【補正対象項目名】０００２
【補正方法】変更
【補正の内容】
【０００２】
近年、デジタルビデオカメラは記録媒体として不揮発性半導体メモリを用いるものが多く登場している。従来は、大容量のデータ領域を必要とする動画などは記録媒体としてテープを用い、不揮発性半導体メモリを用いたメモリカード型記録装置は静止画などの容量の少ないデータの記録媒体として用いていた。よって、特許文献１のように、両者を併存させるためのレイアウトが提案されていた。
【手続補正３】
【補正対象書類名】明細書
【補正対象項目名】０００６
【補正方法】変更
【補正の内容】
【０００６】
本発明の一側面としての撮像装置は、撮像レンズと撮像素子とを有するカメラユニットと、前記カメラユニットの駆動制御を行うカメラ制御回路および電源回路が実装される回路基板と、前記電源回路に対して電力を供給する電池を収納する電池収納部と、を有する撮像装置であって、前記電池収納部を前記撮像装置の底面側に配置し、第１面が前記カメラユニットと向かい合い、第２面が前記電池収納部と向かい合うように前記回路基板を配置し、前記回路基板の前記第１面と前記第２面は、互いに反対の面であり、前記回路基板の前記第１面に前記カメラ制御回路を実装し、前記回路基板の前記第２面に前記電源回路を実装することを特徴とする。
【手続補正４】
【補正対象書類名】明細書
【補正対象項目名】００１４
【補正方法】変更
【補正の内容】
【００１４】
図１（ｄ）に示されるように、デジタルビデオカメラ１０１の表示部１０４を開いた位置での右側面図を示す。前述の収納状態に対して、デジタルビデオカメラ１０１を使用する際には、表示部１０４を図１（ｄ）の状態にすることで、使用者が表示部を視認可能な使用状態になる。デジタルビデオカメラ１０１の表示部１０４と対向する面には図１（ｄ）に示す要素が配置されている。まず、メモリカード蓋１１０内には２つのメモリカードスロット１０９（ａ）及び１０９（ｂ）が配置されている。メモリカードスロットには記録媒体としてのメモリカードを挿入し、メモリカードは撮像画像等の記録に用いられる。メモリカードスロットを２つ装備することによって、長時間撮影やメモリカード間の画像コピーなどが可能になり、使用者の利便性を向上させている。また、ＨＤＭＩ端子１１１開口部とＵＳＢ端子１１２開口部が同じ面内に配置されている。また、操作ボタン１１３が同じ面内に配置され、再生・撮影の切り替えや、バッテリ残量表示、撮影モードの切り替え、撮影メニューの表示などが可能に構成されている。また、外部マイク端子１１４が図１（ｄ）の位置に配置されている。
【手続補正５】
【補正対象書類名】明細書
【補正対象項目名】００２０
【補正方法】変更
【補正の内容】
【００２０】
撮像レンズ１０２の光軸３０１は図３（ａ）に示すとおりである。撮像レンズ１０２は、カメラユニット３１５の前方に配置されている。カメラユニット３１５の後方には撮像レンズが結像した画像を電気信号に変換するための撮像素子３０２が配置されている。この撮像素子３０２は撮像素子搭載基板３０３上に実装されている。本実施例における撮像素子はＣＭＯＳやＣＣＤを適応可能である。カメラユニット３１５の底面側で光軸３０１と平行に回路基板３０４が配置されている。すなわち、光軸３０１と回路基板３０４の主面の法線が直交するように配置されている。回路基板３０４はデジタルビデオカメラ１０１の主な制御回路が搭載された最大規模の基板で、光軸方向の本体全長を決める大きな要素になっている。また、回路基板３０４のカメラユニット３１５側にはカメラ制御回路３０５が実装されている。カメラ制御回路３０５はカメラユニット３１５の駆動制御及び撮像素子３０２・撮像素子搭載基板３０３の制御、画像処理全般等を行う回路である。回路基板３０４と撮像素子搭載基板３０３は図示しないフレキシブルプリント基板またはワイヤ等で接続されている。一般的に撮像素子搭載基板３０３からカメラ制御回路３０５は高速信号を用いて通信するため、ノイズの発生源となりやすい。したがって、最短距離で接続を行う必要があるため、回路基板３０４のカメラユニット３１５面側（第１面側）にカメラ制御回路が実装されている。前述のＨＤＭＩ端子１１１・ＵＳＢ端子１１２及びメモリカードスロット１０９（ｂ）は図３（ｂ）に示すように実装されている。また、回路基板３０４を挟んでカメラユニット３１５と反対側の面に電池収納部Ｓが配置されている。電池収納部Ｓは略直方体形状を有し、長手方向が光軸３０１と平行に（光軸３０１と電池収納部Ｓの主面の法線が直交になるよう）配置されている。回路基板３０４の電池収納部側（第２面側）には電源回路３０６が実装されている。電源回路３０６はデジタルビデオカメラ１０１の給電、充電等を制御する回路である。電池収納部Ｓに収納されるバッテリ１１６と回路基板３０４は図示しないフレキシブルプリント基板またはワイヤで接続されている。バッテリ１１６と電源回路３０６はアナログ信号で他の信号からノイズを受けやすい。したがって、バッテリ１１６と電源回路３０６は最短距離で接続する必要があるため、回路基板３０４の電池収納部Ｓ側に電源回路３０６が実装されている。
【手続補正６】
【補正対象書類名】明細書
【補正対象項目名】００２４
【補正方法】変更
【補正の内容】
【００２４】
カメラユニット３１５の光軸方向後方には、メモリカードスロット基板３１１および端子基板３１２が重ねられて配置されている。メモリカードスロット基板３１１および端子基板３１２はデジタルビデオカメラ１０１の高さ方向でカメラユニット３１５とほぼ同じ位置に配置されている。
【手続補正７】
【補正対象書類名】明細書
【補正対象項目名】００２５
【補正方法】変更
【補正の内容】
【００２５】
メモリカードスロット基板３１１には、メモリカードスロット１０９（ａ）が実装され、端子基板３１２には、外部接続端子としての外部マイク端子１１４及び電源端子２０３、映像出力端子２０４、映像出力及びヘッドフォン出力兼用端子２０５等の入出力端子が実装されている。端子基板３１２の上方には、ズーム操作スイッチ１０６とフォトボタン１０７の機構収納部３１３が配置されている。端子基板３１２は図３（ｂ）に示す通り、外部マイク端子１１４が本体右側面の表示部１０４と対向する面の開口部から露出し、残りの３つの端子は本体左側面に設けられた開口部から露出するように各端子を実装している。また、前述したとおりスピーカー開口部２０２の下にはスピーカー素子３１４が図３（ａ）に示す通りの位置で配置されている。